(57)【特許請求の範囲】
【請求項１】
米を炊飯する炊飯部と、米を収容する貯米部と、水を収容する貯水部と、前記貯米部から前記炊飯部に米を移送する米移送配管と、前記貯水部から前記炊飯部に水を移送する水移送配管と、前記炊飯部と前記貯米部と前記貯水部と前記米移送配管と前記水移送配管とを有する炊飯器本体とを備え、
前記貯米部と前記貯水部の重心点は、前記炊飯器本体の中心軸に対して、前記炊飯部の重心点の反対側に配置し、前記炊飯器本体の底面に、重量計測手段を複数個配置し、前記重量計測手段は、前記炊飯部、前記貯米部、および、前記貯水部が投影される範囲よりも外側に配置し、前記貯米部から前記炊飯部への米の移送量、および、前記貯水部から前記炊飯部への水の移送量を、複数個の前記重量計測手段の分力変化量より検出する自動炊飯器。
【請求項２】
前記貯米部の重心点と前記貯水部の重心点を、前記炊飯部の重心点の位置とは対称となる基準とした炊飯器本体の中心軸とは平行となる線上に配置した請求項１に記載の自動炊飯器。
【請求項３】
前記重量計測手段は、前記炊飯部と、前記貯米部の重心点、前記貯水部の重心点とを配置関係を対称とした炊飯器本体の中心軸に対し、前記中心軸とは平行な線上で、かつ、前記炊飯部の重心点付近、前記貯米部の重心点付近、および、前記貯水部の重心点付近に配置した請求項１または２に記載の自動炊飯器。
【請求項４】
前記重量計測手段は、前記炊飯部の配置側、もしくは、前記貯米部、前記貯水部の配置側のどちらか一方に、複数個配置した請求項１から３のいずれか１項に記載の自動炊飯器。
【発明の詳細な説明】
【技術分野】
【０００１】
本発明は、米と水を準備すれば、配合から炊飯までを自動で行う自動炊飯器に関するものである。
【背景技術】
【０００２】
従来、業務用機器で見られる自動炊飯器は、特許文献１で見られるような、貯米容器の下部の供給器から白米の供給を受けて洗米、水加減、および浸漬する洗米器と、洗米器の下方には炊飯部を設けるとともに、洗米器に供給された米の重量、および、供給された米の重量に応じた水重量を計量する重量計測手段を、洗米器に設けたものである。
【先行技術文献】
【特許文献】
【０００３】
【特許文献１】特許第３５３６３５６号公報
【発明の概要】
【発明が解決しようとする課題】
【０００４】
しかしながら、前記従来の構成では、重量計測手段を洗米器に設けているため、洗米器は固定部に対して重量計測手段を介して宙に浮いた状態に構成せねばならず、そのため、上方に配置されている貯米容器の供給器とは接続状態にはなく、また、洗米器の下方に配した炊飯部とも接続した状態にすることはできないため、貯米容器の供給器から洗米器への米・水の移送の間、および、洗米器から炊飯部へ米・水の移送の間は、外界に触れる状態にあり、そこから異物等の侵入が起こる恐れが見られた。
【０００５】
本発明の目的は、貯米部から炊飯部への米の移送、また、貯水部から炊飯部への水の移送中に、異物が侵入する恐れがない構成で、安定した米・水の計量できる重量計測手段を備えた自動炊飯器を提供することである。
【課題を解決するための手段】
【０００６】
上記課題を達成するために、本発明の自動炊飯器は、米を炊飯する炊飯部と、米を収容する貯米部と、水を収容する貯水部と、前記貯米部から前記炊飯部に米を移送する米移送配管と、前記貯水部から前記炊飯部に水を移送する水移送配管と、前記炊飯部と前記貯米部と前記貯水部と前記米移送配管と前記水移送配管とを有する炊飯器本体とを備え、
前記貯米部と前記貯水部の重心点は、前記炊飯器本体の中心軸に対して、前記炊飯部の重心点の反対側に配置し、前記炊飯器本体の底面に、重量計測手段を複数個配置し、前記重量計測手段は、前記炊飯部、前記貯米部、および、前記貯水部が投影される範囲よりも外側に配置し、前記貯米部から前記炊飯部への米の移送量、および、前記貯水部から前記炊飯部への水の移送量を、複数個の前記重量計測手段の分力変化量より検出する構成としたものである。
【０００７】
このような発明によって、貯米部から炊飯部への米の移送、また、貯水部から炊飯部への水の移送は、米移送配管、水移送配管で、炊飯部と貯米部、および、炊飯部と貯水部とをそれぞれ連結させた構成でも、米・水の重量移動により生じる本体支持荷重の分力変化により、米・水の移動量を算出することができるため、米・水の移送中の異物の侵入を防ぐことができる。
【発明の効果】
【０００８】
本発明の自動炊飯器は、貯米器、および貯水器から炊飯部への米・水の移動量を、本体
支持荷重の分力変化からその移動量を算出する構成にしたことにより、米・水の移送中に外界に触れることはない構成にできるため、異物侵入の恐れがなく、安全性を高めることができる。
【図面の簡単な説明】
【０００９】
【図１】本発明の実施の形態１における自動炊飯器を示す配置構成図
【図２】本発明の実施の形態１における自動炊飯器の米移送時の動作説明図
【図３】本発明の実施の形態１における自動炊飯器の水移送時の動作説明図
【図４】本発明の実施の形態１における自動炊飯器の移送手段の吸引動作説明図
【図５】本発明の実施の形態１における自動炊飯器の重量計測手段を示す要部断面図
【図６】本発明の実施の形態１における自動炊飯器の重量計測手段を示す配置構成図
【図７】本発明の実施の形態１における自動炊飯器の重量計測手段を示す他の配置構成図
【図８】本発明の実施の形態２における自動炊飯器の重量計測手段を示す配置構成図
【発明を実施するための形態】
【００１０】
第１の発明は、米を炊飯する炊飯部と、米を収容する貯米部と、水を収容する貯水部と、前記貯米部から前記炊飯部に米を移送する米移送配管と、前記貯水部から前記炊飯部に水を移送する水移送配管と、前記炊飯部と前記貯米部と前記貯水部と前記米移送配管と前記水移送配管とを有する炊飯器本体とを備え、
前記貯米部と前記貯水部の重心点は、前記炊飯器本体の中心軸に対して、前記炊飯部の重心点の反対側に配置し、前記炊飯器本体の底面に、重量計測手段を複数個配置し、前記重量計測手段は、前記炊飯部、前記貯米部、および、前記貯水部が投影される範囲よりも外側に配置し、前記貯米部から前記炊飯部への米の移送量、および、前記貯水部から前記炊飯部への水の移送量を、複数個の前記重量計測手段の分力変化量より検出する構成としたものであり、それにより、貯米部から炊飯部への米の移送、また、貯水部から炊飯部への水の移送は、米移送配管、水移送配管で、炊飯部と貯米部、および、炊飯部と貯水部とをそれぞれ連結させた構成で、米・水の重量移動により生じる本体支持荷重の分力変化により、米・水の移動量を算出することができるため、米・水の移送中における異物侵入の恐れを防ぐことができる。
【００１１】
第２の発明は、前記貯米部の重心点と前記貯水部の重心点を、前記炊飯部の重心点の位置とは対称となる基準とした炊飯器本体の中心軸とは平行となる線上に配置したものであり、それにより、米・水の重量移動による本体支持荷重の分力変化の相対比は、重量計測手段と炊飯部の距離と、重量計測手段と貯米部、貯水部の距離で決定されるため、米移送時と、水移送時での移動量算出は同じ演算式で可能となるため、演算式を単純化することができる。
【００１２】
第３の発明は、前記重量計測手段は、前記炊飯部と、前記貯米部の重心点、前記貯水部の重心点とを配置関係を対称とした炊飯器本体の中心軸に対し、前記中心軸とは平行な線上で、かつ、前記炊飯部の重心点付近、前記貯米部の重心点付近、および、前記貯水部の重心点付近に配置したものであり、それにより、米・水の移動による本体支持荷重の分力の変化量が増加するため、移動量への演算精度を上げることができる。
【００１３】
第４の発明は、前記重量計測手段は、前記炊飯部の配置側、もしくは、前記貯米部、前記貯水部の配置側のどちらか一方に、複数個配置したものであり、それにより、重量計測手段の数を減らすことができるため、コストの抑制を図ることができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における自動炊飯器を示す配置構成図、図２は、本発明の実施の形態１における自動炊飯器の米移送時の動作説明図、図３は、本発明の実施の形態１における自動炊飯器の水移送時の動作説明図、図４は、本発明の実施の形態１における自動炊飯器の移送手段の吸引動作説明図、図５は、本発明の実施の形態１における自動炊飯器の重量計測手段を示す要部断面図、図６は、本発明の実施の形態１における自動炊飯器の重量計測手段を示す配置構成図、図７は、本発明の実施の形態１における自動炊飯器の重量計測手段を示す他の配置構成図である。
【００１６】
炊飯器本体１は、図６に示すように、炊飯器本体１の底面における長手方向の中心軸Ｙに対して左側に炊飯を行う炊飯部２を配置し、それに対称となる炊飯器本体１の中心軸Ｙの右側に、米を収容する貯米部３と、水を収容する貯水部４を配置しており、貯米部３と貯水部４とは、炊飯器本体１の中心軸Ｙに平行となる線上にその重心点を重ねるように前後に配置している。
【００１７】
図２において、炊飯部２には、磁性体のＳＵＳ／Ａｌクラッド鋼等で成型した炊飯鍋５と、炊飯鍋５を収容する加熱収容部６、および、加熱収容部６の外側底面および側面には電磁誘導コイル７を配置しており、電磁誘導コイル７からの磁場によって炊飯鍋５に発生する誘導電流により発熱する誘導加熱手段を用いている。加熱収容部６の底中央部分には、炊飯鍋５の底中央に当接して炊飯鍋５の内部の温度を検知するための温度検知部８を設けており、温度検知部８は、当接方向にバネで付勢した構成としている。
【００１８】
炊飯鍋５の上方開口は、回動自在に軸支された蓋体９に取り付けた内蓋１０によって塞ぐ構成にしており、炊飯鍋５の上方開口縁に設けたフランジ部１１に、内蓋１０の周囲に配設したパッキン１２が圧接することで炊飯鍋５の上方開口を密閉する構成となっている。
【００１９】
電磁誘導コイル７の下方には、制御基板１３を配しており、炊飯における、浸漬〜炊き上げ→沸騰維持→蒸らしといった炊飯の工程の温度・時間のシーケンス制御を行うものである。
【００２０】
貯米部３は、図２で示すように、米を入れる貯米容器１４を、炊飯器本体１に設けた貯米容器収容部１５に上方から挿入してセットする構成としている。貯米容器１４の底には開閉弁１６を設けており、貯米容器収容部１５に収容された時点で、開閉弁１６が下がり貯米容器収容部１５の下方に設けた米供給部１７に、貯米容器１４の内部の米が自重で落ちる構成である。貯米容器１４の上方部分は、米容器蓋１８で取り付け自在に密閉する構成にしている。米供給部１７には、米移送配管１９を取り付けており、米供給部１７から伸びる米移送配管１９は、炊飯器本体１の蓋体９の内部に設けた米移送配管１９と蓋体９を閉じると連結し、内蓋１０に設けた米投入弁２０に連結とさせている。米供給部１７には、図１で示すように、米移送配管１９の取り付け部と対称となる位置に吸引部Ａ２１を設けており、吸引部Ａ２１には異物の侵入を防ぐためにフィルターＡ２２を設けている。米移送配管１９の連結部分は、パッキンを介して密閉性を確保している。
【００２１】
貯水部４は、図３で示すように、水を入れる貯水容器２３を、炊飯器本体１に設けた貯水容器収容部２４に上方から挿入してセットする構成としている。貯水容器２３には、上方に取り付け自在の水容器蓋２５を設けており、水容器蓋２５には、水移送配管２６を取り付け、その水移送配管２６の先が貯水容器２３の底付近まで伸び、他端は貯水容器２３の外側に飛び出した設定としている。貯水容器２３を貯水容器収容部２４にセットし、炊飯器本体１の蓋体９を閉じると、蓋体９の内部に設けた水移送配管２６と連結し、内蓋１
０に設けた水投入弁２７と連結する配管構成にしている。また、水容器蓋２５には吸引部Ｂ２８を構成し、吸引部Ｂ２８には異物の侵入を防ぐためにフィルターＢ２９を設けている。水移送配管２６の連結部分は、パッキンを介して密閉性を確保している。
【００２２】
米移送配管１９の途中には、水を用いずに洗米する無水洗米部３０を設けている（図２）。この無水洗米部３０は、米移送配管１９と連結し、米の移送する流れに旋回性を作用させる旋回部３１と、旋回部３１の側面が連なるように形成したメッシュ筒３２と、そのメッシュ筒３２の外周に空間を設けて覆うように形成した外筒３３と、メッシュ筒３２の旋回部３１と反対の端部には、再び、米移送配管１９と連結する排気管３４とで構成しており、外筒３３には、集塵部３５を設け、集塵フィルター３６を介して米移送配管１９に連結させている。メッシュ筒３２は、その表面が微小な凹凸となるようにメッシュの目を形成したものである。
【００２３】
炊飯器本体１の下部には、炊飯器本体１の中心軸Ｙ付近に吸引ファン３７を設けており、吸引ファン３７の先に、吸引配管３８を連結し、炊飯器本体１の蓋体９を閉じた際に、蓋体９の内部に設けた吸引配管３８と連結して、その先を内蓋１０に設けた吸引弁３９と連結させた構成にしている（図４）。
【００２４】
次に、本発明の実施の形態１における自動炊飯器に搭載された重量計測の構成について説明する。
図１に示すように、炊飯器本体１の底面の周囲４か所に、内部に重量検知素子４０を組み込んだ重量計測手段４１を配しており、重量計測手段４１は、炊飯部２、貯米部３、および、貯水部４の各々の重心点よりも外周側に位置させている。さらに、重量計測手段４１は、炊飯部２、貯米部３、および、貯水部４が投影される範囲よりも外側に配置されている。重量計測手段４１は、図５に示すように、内部に重量検知素子４０を組み込んだ重量検知部４２とコイルばね４３を用いた弾性支持部４４とで、炊飯器本体１の全荷重を支持する構成としている。
【００２５】
その支持構成は、図５で示すように、垂直断面方向に略コの字状に形成した荷重受け台４５の上面側受け面４５ａに重量検知部４２を接地し、荷重受け台４５の下面側受け面４５ｂに弾性支持部４４が接地している。弾性支持部４４のコイルばね４３上端は、荷重受け台下面側受け面４５ｂに取り付けたガイド座に収まった状態であり、横方向へのズレを防止している。そして、コイルばね４３下端は、ガイドを有した支持台Ａ４６に接地している。コイルばね４３には、炊飯器本体１重量に対して配置個数分（本実施の形態の場合は４個）で割った所定の荷重に応じた縮みを与えるために、シャフト４７上の規制部４８によって縮み量を規制しており、規制部４８の下端は支持台Ａ４６に固持した状態にしている。シャフト４７は、荷重受け台４５の下面側受け面４５ｂの一部に設けた開口を通して組立てており、さらに荷重の掛かる負荷方向（下方）には、コイルばね７が伸縮可能にしている。また、シャフト４７の上端には重量検知部４２が接地する支持台Ｂ４９を設けており、重量検知部４２と弾性支持部４４とが同軸上に配した構成としている。重量検知部４２に接地する支持台Ｂ４９は、支持台Ａ４６に固持された規制部４８、シャフト４７を介した剛体であり、支持台Ａ４６〜規制部４８〜シャフト４７〜支持台Ｂ４９を一体の支持部ということである。
【００２６】
この構成は、炊飯器本体１に応じた所定荷重のたわみを弾性支持部４４に与えているため、まず、荷重受け台４５の下面側受け面４５ｂと支持台Ａ４６との間で予荷重を与えたコイルばね４３で炊飯器本体１の重量のほとんどを受けることができ、炊飯器本体１の重量と予荷重の差分重量分が、荷重受け台４５の上面側受け面４５ｂから重量検知部４２に掛かる分力Ａと荷重受け台４５の下面側受け面４５ｂから弾性支持部４４に掛かる分力Ｂとで支えることになる。この分力は、重量検知素子４０のバネ定数Ｋｍとコイルばねのバ
ネ定数Ｋｎの比で負荷が分かれた状態となる。
【００２７】
もし、重量計測手段で、炊飯器本体１の全体荷重を重量検知素子で直接的に測定する場合、測定対象の米・水の重量と炊飯器本体１の重量となるため、測定対象の米・水に対して１０倍以上の定格容量を持った重量検知素子を用いる必要がある。重量検知素子の精度は、定格容量に対する割合で決めるため、その場合、数ｇの精度を確保することが困難となる。そこで、本実施の形態の重量計測手段の構成をとれば、炊飯器本体の荷重分を先に弾性支持部で支えるため、重量検知素子には、測定対象（米・水）の荷重分に相当する定格容量を選択すればいいため、測定精度を上げることができるというものである。
【００２８】
続いて、貯米部３、貯水部４から米・水を炊飯部２へ移送する動作について説明する。
【００２９】
貯米容器１４、および、貯水容器２３には、予め、所定以上の容量分の米、水を入れておき、それぞれ、貯米容器収納部１５、貯水容器収納部２４にセットし、また、炊飯部２側にも、炊飯鍋５をセットして、炊飯器本体１の蓋体９を閉じ、本体操作部（図示せず）より、炊き上げたいご飯量を選択し、炊飯開始ボタンを押す。その後、本体下部の吸引ファン３７が動作を開始し、続けて、内蓋１０に設けた吸引弁３９と米投入弁２０が開口する。このとき、水投入弁２７は閉じたままの状態になっている。
【００３０】
吸引ファン３７により、炊飯鍋５内は負圧状態となるため、炊飯鍋５に連結した米移送配管１９〜無水洗米部３０〜米移送配管１９〜米供給部１７の経路に、吸引部Ａ２１からの空気の流入によって、米供給部１７から炊飯鍋５までの空気の流れが発生する。貯米容器１４から米供給部１７に自重で落ちた米は、この空気に乗って炊飯鍋５に向かって流れ始める。
【００３１】
流れに乗った米は無水洗米部３０に到達すると、空気の流れが旋回部３１で渦気流に変化し、その先のメッシュ筒３２の凹凸壁面に接触しながら渦を巻いて流れる。この旋回部３１は、円筒の側壁面に接線方向に取り付けられた流入口に米移送配管１９が連結しており、この接線方向からの流入が渦気流の形成を作用するものである。この渦気流に乗った米は、メッシュ筒３２を数十〜数百回転し、メッシュの凹凸表面との接触と米同士の接触で、米表面に付着する米糠がはがれ、はがれた米糠は、メッシュ筒３２を通り抜け外筒３３の集塵部３５へと流れ、集塵フィルター３６に溜まるようになっている。これは、メッシュ筒３２から外筒３３の方向に空気の流れを分岐させる構成をとっているため、渦気流に乗った米への遠心作用により、剥がれた米糠がメッシュ筒３２を通して外筒３３側へと引き込まれるという流れが生じるものである。
【００３２】
無水洗米部３０で米糠を取り除かれた米は、再び、米移送配管１９を通って、米投入弁２０から炊飯鍋５の中に入る。このとき、米に自重により炊飯鍋５の底に落ちるため、米が吸引弁３９側に吸い込まれることはない。米は、米移送配管１９を通して、次々と、炊飯鍋５内に落ち、重量計測手段４１で所定の重量になった時点で、貯米容器側１４の開閉弁１６を閉じ、米移送配管１９内の残量が無くなった時点で、米投入弁２０を閉め、吸引ファンを止める。
【００３３】
続いて、水投入弁２７を開け、再び、吸引ファン３７を動作させる。米の移送と同様、炊飯鍋５内が負圧となり、炊飯鍋５に連結した水移送配管２６〜貯水容器２３の経路も負圧となり、吸引部Ｂ２８からの大気圧差により貯水容器２３から炊飯鍋５までの水の流れを作用させている。炊飯鍋５への水の流入においても、水の自重によって炊飯鍋５に溜まっており、吸引弁３９側に吸い込まれることはない。
【００３４】
水投入弁２７から炊飯鍋５へと流入した水は重量計測手段４１によって計量し、所定の
重量を検知すると水投入弁２７と吸引弁３９が閉まり、吸引ファン３７の動作を止める。蓋体９の内部の水移送配管２６は、炊飯部２側に対して貯水部４側を低くした傾斜を設けているため、吸引ファン３７を止めた後、蓋体９内の水移送配管２６に残った水は、位置エネルギーの関係で貯水容器２３に逆流することになる。
【００３５】
次に、本発明の実施の形態１における自動炊飯器の重量計測手段による計量作用について説明する。
図６に示すように、本実施の形態１の炊飯器本体１の底に４方向に配置した重量計測手段４１と、炊飯部２、貯米部３、貯水部４とは、炊飯器本体１の左右方向に、１：３：１の距離の比で配置した構成としている。重量計測手段４１は、右側の２組（重量計測手段Ａ５０）と左側の２組（重量計測手段Ｂ５１）とに区分し、それぞれで和算させている。
【００３６】
まず、米の移送において、例えば、米を５００ｇ、貯米部３から炊飯鍋５へ移送させる場合、初め、貯米部３にある５００ｇの米は、貯米部３の位置が重量計測手段Ａ５０と重量計測手段Ｂ５１の間で、“貯米部３と重量計測手段Ａ５０”：“貯米部３と重量計測手段Ｂ５１”＝１：４の距離の比にあるため、モーメントの関係より、重量計測手段Ａ５０に４００ｇの荷重が掛かり、重量計測手段Ｂ５１に１００ｇの荷重が掛かることになる。この米：５００ｇが貯米部３から炊飯鍋５へ移ると、今度は、“炊飯鍋５と重量計測手段Ａ５０”：“炊飯鍋５と重量計測手段Ｂ５１”＝１：４の距離の比での支持に変わるため、重量計測手段Ａ５０に１００ｇの荷重が掛かり、重量計測手段Ｂ５１には４００ｇの荷重が掛かることになる。よって、重量計測手段Ａ５０では、３００ｇ減少し、重量計測手段Ｂ５１では、３００ｇ増加したことになる。
【００３７】
米５００ｇの移動によって、重量計測手段Ａ５０と重量計測手段Ｂ５１での増減が３００ｇ生じ、これは移動量の６０％に相当する。また、７５０ｇの移動であれば、重量計測手段Ａ５０と重量計測手段Ｂ５１での増減は、それぞれで４５０ｇ生じ、これも移送量の６０％に相当する。つまり、重量計測手段Ａ５０および重量計測手段Ｂ５１での増減量は、移送量の６０％となる相関関係が成り立つため、増減量より、本実施の形態１の場合は、相関係数：１／０．６を掛ければその移送量を算出することができることになる。
【００３８】
ここで、重量計測手段４１は、内部に重量検知素子４０を組み込んだ重量検知部４２とコイルばね４３を用いた弾性支持部４４とで、炊飯器本体１の全荷重を支持しており、弾性支持部４４に初期設定させている予荷重を、米・水が入っていない状態の炊飯器本体１の荷重相当に合わせているため、重量検知部４２自体には、米・水の重量しか掛からないことになるため、より精度良く米・水の移送量を検出することができるというものである。
【００３９】
また、本実施の形態１において、重量検出手段Ａ５０と重量検出手段Ｂ５１の位置と、炊飯部２、貯米部３、貯水部４の位置関係を、図７に示すように、炊飯部２の重心点、および、貯米部３、貯水部４の重心点の近くに配置させると、モーメント比がさらに高まり、例えば、それが１：９となれば、重量計測手段Ａ５０と重量計測手段Ｂ５１での増減量が４００ｇとなるため、相関係数が１／０．８となり、係数値が１に近づく分、より算出精度を上げることができる。これは、次の水の移送においても、同様の作用が生じることになる。
【００４０】
また一方、炊飯器本体１の全体を計測できる構成にしたことで、お茶碗によそいだご飯の量や、炊飯鍋５に残るご飯の量が幾らであるのかも検知することができ、ご飯量に関する情報を使用者に知らせることで、さらなる使用性の向上も図ることができる。
【００４１】
また、本構成に通信機能を装備すれば、例えば、事前に、貯米部、貯水部に所定容量の
米・水をセットさえしておけば、外出先から炊き上げたいご飯の量と炊き上げの時間をインターネット等を用いて炊飯器本体に炊飯情報をセットすれば、所望の米・水の量を自動で所定の時間に炊飯部へ投入し、炊飯を開始させることができるため、使用者は、帰宅時間に合わせて炊き上げのご飯を用意させることができるようになる。
【００４２】
（実施の形態２）
図８は、本発明の実施の形態２における自動炊飯器の重量計測手段を示す配置構成図である。なお、上述した実施の形態１と重複する構成については、同一符号を記載し説明を省略する。
【００４３】
図８に示すように、炊飯器本体１の底面において、炊飯器本体１の中心軸に対して炊飯部２側に重量計測手段４１を炊飯器本体１の前後２か所に配置し、炊飯器本体１の中心軸に対してその対称となる位置には支持脚５２を配置したものである。また、この重量計測手段４１は、炊飯部２の重心点よりも外側に位置するものである。さらに、この重量計測手段４１は、内部に重量検知素子４０を組み込んだ重量検知部４２とコイルばね４３を用いた弾性支持部４４とで、炊飯器本体１の荷重を支持する構成をとっている。
【００４４】
次に、重量計測手段による計量作用について説明する。
図８に示すように、重量計測手段Ｃ５３は、２つの重量計測手段４１を和算させた値を重量値としており、重量検知手段Ｃ５３と、炊飯部２、貯米部３、貯水部４、支持脚５２とは、炊飯器本体１の左右方向に、１：３：１の距離の比で配置した構成としている。
【００４５】
まず、米の移送において、例えば、米を５００ｇ、貯米部３から炊飯鍋５へ移送させる場合、初め、貯米部３にある５００ｇの米は、貯米部３の位置と重量計測手段Ｃ５３、支持脚５２との間で、“貯米部３と重量計測手段Ｃ５３”：“貯米部３と支持脚５２”＝１：４の距離の比にあるため、モーメントの関係より、重量計測手段Ｃ５３に１００ｇの荷重が掛かり、支持脚５２に４００ｇの荷重が掛かる。この米：５００ｇが貯米部３から炊飯部２へ移ると、今度は、“炊飯部２と重量計測手段Ｃ５３”：“炊飯部２と支持脚５２”＝１：４の距離の比での支持に変わるため、重量計測手段Ｃ５３に４００ｇの荷重が掛かり、支持脚５２に１００ｇの荷重が掛かることになる。よって、重量計測手段Ｃ５３は、３００ｇ増加したことになる。米５００ｇの移動によって、重量計測手段Ｃ５３の増減が３００ｇ生じ、これは移動量の６０％に変化量に相当する。また、７５０ｇの移動であれば、重量計測手段Ｃ５３での増減が４５０ｇ生じ、これも移送量の６０％の変化量に相当する。つまり、重量計測手段Ｃ５３での増減量は、移送量の６０％となる相関関係が成り立つため、増減量より、本実施の形態２においても、相関係数：１／０．６を掛ければその移送量を算出することができることになる。これは、次の水の移送においても、同様の作用が生じることになる。
【００４６】
このように、炊飯器本体１の底部に複数の重量計測手段４１を配し、重量計測手段４１で炊飯器本体１の全体荷重を計測する手段を用いたことで、米・水の移送によって生じる本体支持分力のモーメント力の変化よりその移送量を算出させることができるため、米・水の移送中に異物侵入の恐れのない自動炊飯器を構成することができ、また、この重量計測手段で、お茶碗によそいだ量やご飯の残り量などご飯量の計測も可能であり、本構成で多様なご飯量の情報を使用者に提供することができるため、各作用の重量計測手段を用いず、炊飯器本体を複雑化させずに構成することが可能となる。
【産業上の利用可能性】
【００４７】
以上のように、本発明による重量計測手段は、炊飯器本体に、炊飯部、貯米部、および貯水部を設け、貯米部、貯水部から自動で炊飯部へ、米・水を移送する自動炊飯器において、その移送量の計測は、炊飯器本体の底部に複数の重量計測手段を配し、重量計測手段
で炊飯器本体の全体荷重を計測する手段を用いたことで、米・水の移送によって生じる本体支持分力のモーメント力の変化よりその移送量を算出するばかりでなく、お茶碗によそいだご飯の量やご飯の残り量などご飯量の計測も可能であり、本構成で多様なご飯量の情報を使用者に提供することができるため、各作用の重量計測手段を用いず、炊飯器本体を複雑化させずに構成することが可能となる。
【符号の説明】
【００４８】
１  炊飯器本体
２  炊飯部
３  貯米部
４  貯水部
１９  米移送配管
２６  水移送配管
４１  重量計測手段
５０  重量計測手段Ａ
５１  重量計測手段Ｂ
５３  重量計測手段Ｃ
【図１】
0006337273.tif 000002
【図２】
0006337273.tif 000003
【図３】
0006337273.tif 000004
【図４】
0006337273.tif 000005
【図５】
0006337273.tif 000006
【図６】
0006337273.tif 000007
【図７】
0006337273.tif 000008
【図８】
0006337273.tif 000009